(57)【要約】【課題】  複数の者で共有される場合であってもプライバシーを効果的に保護することができ、且つ着信に対して適切に応答することができる携帯型電話装置及びその制御方法を提供する。【解決手段】  携帯型電話装置１は、スロット１０に入力される外部記憶装置１１に記憶されているカードＩＤを読み込み、使用しているユーザを特定する。携帯型電話装置１はアドレス情報を複数記憶したアドレス帳、発信履歴、着信履歴等の各種情報を記憶する内部記憶装置を備えており、この内部記憶装置に記憶されたアドレス情報、発信履歴、着信履歴のうち、外部記憶装置１１のカードＩＤから特定されるユーザに関するアドレス情報、発信履歴、着信履歴、及び、全ユーザに共用されるアドレス情報、発信履歴、着信履歴のみを表示装置７に表示する。【選択図】  図１
2007020063.tif 000002
【特許請求の範囲】
【請求項１】
外部記憶装置に記憶された識別情報を読み取る読取部を備え、当該読取部で読み取られた前記識別情報に応じて動作が制御される携帯型電話装置において、
電話番号及びメールアドレスの少なくとも一方を含む個人情報と、当該個人情報と前記識別情報との関連性を示す関連情報とを記憶する内部記憶装置と、
前記内部記憶装置に記憶された前記関連情報に基づく前記個人情報と前記読取部で読み取られた前記識別情報との関連性に応じて所定の処理の制御を行う制御部と
を備えることを特徴とする携帯型電話装置。
【請求項２】
基地局との間で無線通信を行う通信部を備え、
前記所定の処理は、前記通話部を介した通話処理であることを特徴とする請求項１記載の携帯型電話装置。
【請求項３】
前記制御部は、前記内部記憶装置に記憶された前記個人情報のうち、前記関連情報に基づき前記読取部に読み取られた前記識別情報に関連している個人情報を有する通信相手との通信を許可し、前記読取部に読み取られた前記識別情報に関連していない個人情報を有する通信相手との通信を制限する制御を行うことを特徴とする請求項１又は請求項２記載の携帯型電話装置。
【請求項４】
前記制御部は、前記読取部に読み取られた前記識別情報に関連していない個人情報を有する通信相手への発信及び当該通信相手からの着信を制限する制御を行うことを特徴とする請求項３記載の携帯型電話装置。
【請求項５】
前記内部記憶装置に記憶された前記個人情報の表示が可能な表示部を備え、
前記所定の処理は、前記表示部への前記個人情報の表示処理を含むことを特徴とする請求項１から請求項４の何れか一項に記載の携帯型電話装置。
【請求項６】
前記制御部は、前記内部記憶装置に記憶された前記個人情報のうち、前記読取部に読み取られた前記識別情報に関連している個人情報を前記表示部に表示し、前記読取部に読み取られた前記識別情報に関連していない個人情報を前記表示部に表示させない制御を行うことを特徴とする請求項５記載の携帯型電話装置。
【請求項７】
前記内部記憶装置は発信及び着信の少なくとも一方の履歴を更に記憶するものであり、
前記内部記憶装置に記憶された前記履歴の表示が可能な表示部を備え、
前記所定の処理は、前記表示部への前記履歴の表示処理を含むことを特徴とする請求項１から請求項６の何れか一項に記載の携帯型電話装置。
【請求項８】
前記制御部は、前記内部記憶装置に記憶された前記履歴のうち、前記記憶部に前記個人情報が記憶されている通信相手との間の履歴であって前記読取部に読み取られた前記識別情報に前記個人情報が関連していない通信相手との間の履歴を前記表示部に表示させない制御を行うことを特徴とする請求項７記載の携帯型電話装置。
【請求項９】
前記制御部は、前記内部記憶装置に記憶された前記履歴のうち、前記記憶部に前記個人情報が記憶されている通信相手との間の履歴であって前記読取部に読み取られた前記識別情報に前記個人情報が関連している通信相手との間の履歴を前記表示部に表示させる制御を行うことを特徴とする請求項７記載の携帯型電話装置。
【請求項１０】
外部記憶装置に記憶された識別情報を読み取り、当該読み取った前記識別情報に応じて動作が制御される携帯型電話装置の制御方法において、
電話番号及びメールアドレスの少なくとも一方を含む個人情報と、当該個人情報と前記識別情報との関連性を示す関連情報とを内部記憶装置に記憶する第１ステップと、
前記外部記憶装置から前記識別情報を読み取る第２ステップと、
前記内部記憶装置に記憶された前記関連情報に基づく前記個人情報と前記第２ステップで読み取られた前記識別情報との関連性に応じて所定の処理の制御を行う第３ステップと
を含むことを特徴とする携帯型電話装置の制御方法。
【発明の詳細な説明】
【技術分野】
【０００１】
本発明は、ユーザによって携帯され、無線で通信を行う携帯型電話装置及びその制御方法に関する。
【背景技術】
【０００２】
携帯電話機、ＰＨＳ（Personal Handyphone System）等の携帯型電話装置は、通信相手毎に氏名と電話番号とを関連づけたアドレス帳機能を備えるものが多い。このアドレス帳機能により、発呼時には通信相手の氏名を指定するとその氏名に関連付けられた電話番号が検索されて発呼がなされ、また着信時には着信電話番号に関連付けられている氏名が検索されてその氏名が表示される。これにより、携帯型電話装置のユーザは通信相手の電話番号を覚える必要が無く利便性が向上する。また、近年においては、通信相手の氏名に対して電話番号のみならず、電子メールのアドレス、住所、その他の各種情報を関連付けることができる高機能なものも実現されている。
【０００３】
また、以下の特許文献１には、ＩＣカードが挿入されていない場合には電源がオン状態とならず、ＩＣカードが挿入されている場合にのみ電源をオン状態とすることができる携帯電話機が開示されている。この携帯電話機ではＩＣカードにアドレス帳のデータ、送受信メールのデータ等を書き込むことができ、これによりユーザ毎に異なるＩＣカードを用意することで、プライバシーを保護しつつ一台の携帯電話機を複数のユーザで共有することが可能となる。
【特許文献１】特開２００４−１７２８８５号公報
【発明の開示】
【発明が解決しようとする課題】
【０００４】
ところで、近年における携帯型電話装置の普及は目覚しいものがあり、一人が一台の携帯型電話装置を所有する時代となってきているが、一般家庭においては経済上の理由及び教育上の理由等の理由から家族の全員にそれぞれ一台の携帯型電話装置を持たせることに抵抗がある場合が少なくない。かかる場合において、携帯型電話装置を持たない者に一時的に携帯型電話装置を持たせたいときがある。例えば、学生の塾の行きかえりのみ緊急連絡がとれるようにしたいとき、又は旅行に行っている時のみ連絡をしたいときが挙げられる。
【０００５】
一台の携帯型電話装置の貸し借りを行えば上記の要求が満たされるが、携帯型電話装置にアドレス帳機能が設けられていると、その貸し借りに問題が生ずることがある。例えば、親が自分の携帯型電話装置を幼い子供に持たせた場合に、親の商売上の取引先から電話がかかって来くると問題であろうし、子供が親に携帯型電話装置を貸した場合に、子供の友人からの電話に親が出る機会があること喜ばしいことではない。このように、一台の携帯型電話装置の貸し借りを行う事は、プライバシー上の問題又は実際上の問題が生じる虞がある。
【０００６】
また、前述した特許文献１に開示された技術では、個人情報をＩＣカードに記憶させて携帯型電話装置に記憶させないことにより事実上のプライバシーを保護することが可能である。しかしながら、上記の例のように親の商売上の取引先からかかってきた電話を子供がとったり、子供の友人からの電話に親が出るのを防止することができないというという問題がある。また、例えば、親が携帯型電話装置を携帯している際にかかってきた子供宛ての着信履歴は親のＩＣカードに記憶されてしまうために、子供がその事実を知る事はできないという問題がある。
【０００７】
更に、上記の特許文献１に開示された技術では、前述した通りＩＣカードが挿入されていなと電源をオン状態にすることができないため、ＩＣカードが挿入されていないときの着信等を知ることができない。かかる事態を防止するために、例えば通常時において親のＩＣカードを挿入したままにしておくと、その親のプライバシーを他の者が知り得ることになり問題がある。
【０００８】
本発明は、上記事情に鑑みてなされたものであり、複数の者で共有される場合であってもプライバシーを効果的に保護することができ、且つ着信に対して適切に応答することができる携帯型電話装置及びその制御方法を提供することを目的とする。
【課題を解決するための手段】
【０００９】
上記課題を解決するために、本発明の携帯型電話装置は、外部記憶装置に記憶された識別情報を読み取る読取部を備え、当該読取部で読み取られた前記識別情報に応じて動作が制御される携帯型電話装置において、電話番号及びメールアドレスの少なくとも一方を含む個人情報と、当該個人情報と前記識別情報との関連性を示す関連情報とを記憶する内部記憶装置と、前記内部記憶装置に記憶された前記関連情報に基づく前記個人情報と前記読取部で読み取られた前記識別情報との関連性に応じて所定の処理の制御を行う制御部とを備えることを特徴としている。
ここで、本発明の携帯型電話装置は、基地局との間で無線通信を行う通信部を備え、前記所定の処理は、前記通話部を介した通話処理であることを特徴としている。
具体的には、前記制御部は、前記内部記憶装置に記憶された前記個人情報のうち、前記関連情報に基づき前記読取部に読み取られた前記識別情報に関連している個人情報を有する通信相手との通信を許可し、前記読取部に読み取られた前記識別情報に関連していない個人情報を有する通信相手との通信を制限する制御を行うことを特徴としている。
更には、前記制御部が、前記読取部に読み取られた前記識別情報に関連していない個人情報を有する通信相手への発信及び当該通信相手からの着信を制限する制御を行うことを特徴としている。
また、本発明の携帯型電話装置は、前記内部記憶装置に記憶された前記個人情報の表示が可能な表示部を備え、前記所定の処理は、前記表示部への前記個人情報の表示処理を含むことを特徴としている。
具体的には、前記制御部は、前記内部記憶装置に記憶された前記個人情報のうち、前記読取部に読み取られた前記識別情報に関連している個人情報を前記表示部に表示し、前記読取部に読み取られた前記識別情報に関連していない個人情報を前記表示部に表示させない制御を行うことを特徴としている。
また、本発明の携帯型電話装置は、前記内部記憶装置は発信及び着信の少なくとも一方の履歴を更に記憶するものであり、前記内部記憶装置に記憶された前記履歴の表示が可能な表示部を備え、前記所定の処理は、前記表示部への前記履歴の表示処理を含むことを特徴としている。
具体的には、前記制御部は、前記内部記憶装置に記憶された前記履歴のうち、前記記憶部に前記個人情報が記憶されている通信相手との間の履歴であって前記読取部に読み取られた前記識別情報に前記個人情報が関連していない通信相手との間の履歴を前記表示部に表示させない制御を行うことを特徴としている。
或いは、前記制御部は、前記内部記憶装置に記憶された前記履歴のうち、前記記憶部に前記個人情報が記憶されている通信相手との間の履歴であって前記読取部に読み取られた前記識別情報に前記個人情報が関連している通信相手との間の履歴を前記表示部に表示させる制御を行うことを特徴としている。
上記課題を解決するために、本発明の携帯型電話装置の制御方法は、外部記憶装置に記憶された識別情報を読み取り、当該読み取った前記識別情報に応じて動作が制御される携帯型電話装置の制御方法において、電話番号及びメールアドレスの少なくとも一方を含む個人情報と、当該個人情報と前記識別情報との関連性を示す関連情報とを内部記憶装置に記憶する第１ステップと、前記外部記憶装置から前記識別情報を読み取る第２ステップと、前記内部記憶装置に記憶された前記関連情報に基づく前記個人情報と前記第２ステップで読み取られた前記識別情報との関連性に応じて所定の処理の制御を行う第３ステップとを含むことを特徴としている。
【発明の効果】
【００１０】
本発明によれば、外部記憶装置に記憶された識別情報が読み取られ、内部記憶装置に記憶された関連情報に基づいて、内部記憶装置に記憶された個人情報と外部記憶装置に記憶された識別情報との関連性に応じて所定の処理の制御が行われる。ここで個人情報を用いた所定の処理は、例えば通話部を介した通話処理、表示部への個人情報の表示処理、表示部への前記履歴の表示処理等の処理である。これにより、携帯型電話装置が複数の者で共有される場合であってもプライバシーを効果的に保護することができ、且つ着信に対して適切に応答することができるという効果がある。
【発明を実施するための最良の形態】
【００１１】
以下、図面を参照して本発明の一実施形態による携帯型電話装置及びその制御方法について詳細に説明する。図１は、本発明の一実施形態による携帯型電話装置の外観を示す図である。図１に示す通り、本実施形態の携帯型電話装置１は、第１の筐体２と第２の筐体３とをヒンジ部４により互いに折り畳み自在に連結してなるものである。
【００１２】
第１の筐体２の内部には通話キー、終話キー、テンキー、ソフトキー等の各種の操作キー５及びマイクロフォン６が設けられており、これらは、折り畳んだ際に第２の筐体３と対向する第１の筐体２の対向面２ａ側に露出している。第２の筐体３の内部には、液晶表示装置、有機ＥＬ表示装置等の表示装置７、スピーカー８、及びアンテナ９が設けられており、表示装置７の表示面及びスピーカー８は、折り畳んだ際に第１の筐体２と対向する第２の筐体３の対向面３ａ側に露出している。
【００１３】
表示装置７は、基地局と携帯型電話装置１との通信状態、ユーザによる操作キー５の操作内容を示す操作情報、電子メールの文章等の各種情報等を表示するためのものであり、平面視略矩形状に形成されている。また、マイクロフォン６及びスピーカー８は、第１の筐体２と第２の筐体３とを相互に開いた状態にてアンテナ９を介して、無線通話を行ったり、音楽再生や音声録音時に使用するものである。
【００１４】
また、本実施形態の携帯型電話装置１は、第１の筐体２の一側面２ｂにＩＣカード等の外部記憶装置１１を挿入するスロット１０を備える。外部記憶装置１１は内部に不揮発性の記憶装置３０（図２参照）を備えており、この記憶装置３０には外部記憶装置１１毎に一意に定まる識別情報（以下、カードＩＤという）を含むカード情報が記憶されている。ユーザによって外部記憶装置１１が携帯型電話装置１のスロット１０に挿入されると、この記憶装置３０に記憶されているカード情報が、接続端子１２を介して携帯型電話装置１に読み込まれる。本実施形態の携帯型電話装置１は、スロット１０に挿入された外部記憶装置１１からカードＩＤを読み出すことにより携帯型電話装置１を使用しているユーザを識別する。尚、スロット１０に外部記憶装置１１が挿入されていなくとも、アドレス帳の使用、発信履歴及び着信履歴の参照、並びに通話は可能であるが、後述する通り、それらの機能の一部が制限される。
【００１５】
図２は、携帯型電話装置１の内部に設けられる電気回路の概略構成を示すブロック図である。図２に示す通り、携帯型電話装置１の内部に設けられる電気回路は、無線部２１、制御部２２、内部記憶装置２３、入力部２４、表示部２５、データ読み取り部２６、外部記憶装置接続検出部２７、及びコネクタ２８を含んで構成される。尚、図２での図示は省略しているが、ユーザの音声を音声信号に変換するマイクロフォン６及び音声信号を音声に変換するスピーカー８を含む音声変換部も設けられている。無線部２１はアンテナ９で受信された受信信号の検波、復調、周波数変換等を行って制御部２２に出力するとともに、制御部２２から出力される信号の変調、周波数変換等を行って送信信号をアンテナ９に出力する。
【００１６】
制御部２２は、無線部２１から出力される信号に対して所定の処理を施して音声変換部のスピーカー８に出力するとともに、音声変換部のマイクロフォン６から出力される音声信号に対して所定の処理を施して無線部２１に出力する。また、制御部２２は、基地局と携帯型電話装置１との通信状態、ユーザによる入力部２４の操作内容を示す操作情報、受信した電子メールの内容等の情報を表示部２５に出力する。
【００１７】
更に、制御部２２は、外部記憶装置接続検出部２７にてコネクタ２８に対する外部記憶装置１１の接続が検出された場合には、外部記憶装置１１の記憶装置３０に記憶されているカードＩＤに応じて、表示部２５に対する表示内容を制限する制御、着信時の着信通知を抑制する制御等を行う。具体的には、例えばアドレス情報（個人情報）を含むアドレス帳の内容表示、発信履歴及び着信履歴（電子メールの発信履歴及び着信履歴を含む）の表示等の表示が制限される。尚、かかる制御の具体例については後述する。
【００１８】
内部記憶装置２３は、通信相手の氏名に対して電話番号及び電子メールアドレス等の情報が関連付けられたアドレス帳のデータ、発信履歴及び着信履歴を示すデータ、受信メール、及びスロット１０に外部記憶装置１１が挿入されているときには、外部記憶装置１１に記憶されたカードＩＤ等を記憶する。尚、内部記憶装置２３に記憶される各種データの詳細については後述する。入力部２４は、図１に示す操作キー５を含んで構成され、ユーザによる操作内容に応じた信号を制御部２２に出力する。表示部２５は、図１に示す表示装置７を含んで構成され、制御部２２から出力される信号に基づいた表示を行う。尚、図２に示す例では、着信を音で知らせるブザー２５ａも表示部２５に設けられている。
【００１９】
データ読み取り部２６は、制御部２２の制御の下で、コネクタ２８に接続された外部記憶装置１１の記憶装置３０からカードＩＤを含むカード情報を読み取る。外部記憶装置接続検出部２７は、外部記憶装置１１がコネクタ２８に接続されているか否かを検出し、その検出結果を制御部２２に出力する。コネクタ２８は、図１に示すスロット１０の内部に設けられており、外部記憶装置１１の接続端子１２と接続される端子（図示省略）を備えている。
【００２０】
次に、内部記憶装置２３に記憶されるデータについて具体的に説明する。尚、ここでは、内部記憶装置２３に記憶されるアドレス帳、発信履歴、及び着信履歴のデータについて重点的に説明する。
【００２１】
〔アドレス帳〕
図３は、携帯型電話装置１の内部記憶装置２３に記憶されるアドレス帳の一例を示す図である。図３に示す通り、アドレス帳は、登録番号（レコード番号）が割り当てられた複数のレコードからなるレコード形式で内部記憶装置２３に記憶される。１つのレコードは、電話番号が格納されるフィールドＦ１１、氏名が格納されるフィールドＦ１２、電子メールアドレスが格納されるフィールドＦ１３、住所等のその他の情報が格納されるフィールドＦ１４、及びレコードに格納された情報のユーザ毎の利用を制限するか否かを制御するための制御情報が格納されるフィールドＦ１５を含んでなる。
【００２２】
図３に示す通り、フィールドＦ１５には、ユーザ毎のサブフィールドｆ１５１〜ｆ１５５が設けられており、これらサブフィールドｆ１５１〜ｆ１５５に格納される制御情報に応じて、そのユーザに対する情報の利用が制御される。尚、図３に示す例では、５つのサブフィールドｆ１５１〜ｆ１５５が設けられている場合を図示しているが、サブフィールドの数はこれに限られる訳ではなく、携帯型電話装置１を共有するユーザの数だけ設けられる。サブフィールドに格納される制御情報が‘１’である場合にはそのユーザに対するそのレコードに格納された情報の利用が許可され、制御情報が‘０’である場合にはそのユーザに対するそのレコードに格納された情報の利用が制限される。また、制御情報が‘２’である場合には全てのユーザに対するそのレコードに格納された情報の利用が許可される。
【００２３】
このように、内部記憶装置２３には、アドレス帳の各レコードに格納された電話番号、氏名、及び電子メールアドレス等の個人情報（個人の情報に限らず法人等の情報も含む）に対応して、各ユーザ（外部記憶装置１１のカードＩＤ）との関連性を示す関連情報としての制御情報が記憶されている。そして、この制御情報に基づくアドレス帳の各レコードにある情報と各ユーザとの関連性に応じて、レコードに格納された情報を利用した所定の処理（発信、着信等の通信や、履歴等の表示等）の制御が行われる。
【００２４】
例えば、登録番号が‘１’であるレコードには、フィールドＦ１１に電話番号“03-****-****”が格納され、フィールドＦ１２に氏名“Ａ”が格納され、フィールドＦ１３に電子メールアドレス“***@***.com”が格納されている。また、サブフィールドｆ１５１にのみ制御情報‘１’が格納されており、他のサブフィールドｆ１５２〜ｆ１５５には制御情報‘０’が格納されている。よって、このレコードに格納された情報（電話番号“03-****-****”、氏名“Ａ”、及び電子メールアドレス“***@***.com”）の使用は、ユーザ１（User1）のみに許可され、他のユーザ２〜ユーザ５（User2〜User5）には許可されない。尚、携帯型電話装置１を使用しているユーザの識別は、スロット１０に挿入されている外部記憶装置１１から読み出したカードＩＤにより行われる。
【００２５】
〔発信履歴〕
図４は、携帯型電話装置１の内部記憶装置２３に記憶される発信履歴の一例を示す図である。図４に示す通り、発信履歴は図３に示すアドレス帳と同様に、レコード番号が割り当てられた複数のレコードからなるレコード形式で内部記憶装置２３に記憶される。１つのレコードは、発信先の電話番号が格納されるフィールドＦ２１、発信時刻が格納されるフィールドＦ２２、発信先の電話番号のアドレス帳における登録番号が格納されるフィールドＦ２３、発信先の電話番号に関連付けられた氏名が格納されるフィールドＦ２４、所定の情報が格納されるフィールドＦ２５、及び発信時にスロット１０に挿入されていた外部記憶装置１１のカードＩＤが格納されるフィールドＦ２６を含んでなる。
【００２６】
例えば、登録番号が‘１’であるレコードには、フィールドＦ２１に電話番号“080-********”が格納され、フィールドＦ２３にアドレス帳の登録番号“No.5”が格納され、フィールドＦ２４に氏名“Ｅ”が格納され、フィールドＦ２６に“User3”が格納されている。尚、図４に示す例では、理解の容易のためにフィールドＦ２６に“User3”が格納されているとしているが、実際にはUser3が所有する外部記憶装置１１のカードＩＤが格納される。また、登録番号が‘２’であるレコードには、フィールドＦ２１に電話番号“052-***-****”が格納されているが、フィールドＦ２３，Ｆ２４，Ｆ２６への情報の格納が省略されている。フィールドＦ２３，Ｆ２４への情報の格納が省略されるのは、フィールドＦ２１に格納された電話番号“052-***-****”がアドレス帳に登録されていないためであり、フィールドＦ２６への情報の格納が省略されるのは、携帯型電話装置１のスロット１０に外部記憶装置１１が挿入されていない状態で発信が行われたためである。
【００２７】
〔着信履歴〕
図５は、携帯型電話装置１の内部記憶装置２３に記憶される着信履歴の一例を示す図である。図５に示す通り、着信履歴は図３に示すアドレス帳及び図４に示す発信履歴と同様に、レコード番号が割り当てられた複数のレコードからなるレコード形式で内部記憶装置２３に記憶される。１つのレコードは、発信者（携帯型電話装置１への呼び出しを行った電話装置）の電話番号（着信電話番号）が格納されるフィールドＦ３１、着信時刻が格納されるフィールドＦ３２、着信電話番号のアドレス帳における登録番号が格納されるフィールドＦ３３、着信電話番号に関連付けられた氏名が格納されるフィールドＦ３４、所定の情報が格納されるフィールドＦ３５、レコードに格納された着信履歴のユーザ毎の利用を制限するか否かを制御するための制御情報が格納されるフィールドＦ３６、着信時にスロット１０に挿入されていた外部記憶装置１１のカードＩＤが格納されるフィールドＦ３７、及び着信対応を許可するか否かを示す情報が格納されるフィールドＦ３８を含んでなる。
【００２８】
図５に示す通り、フィールドＦ３６には、ユーザ毎のサブフィールドｆ３６１〜ｆ３６５が設けられており、これらサブフィールドｆ３６１〜ｆ３６５に格納される制御情報に応じて、そのユーザに対する情報の利用が制御される。尚、図５に示す例では、５つのサブフィールドｆ３６１〜ｆ３６５が設けられている場合を図示しているが、サブフィールドの数はこれに限られる訳ではなく、携帯型電話装置１を共有するユーザの数だけ設けられる。図３に示すアドレス帳のフィールドＦ１５に格納される制御情報と同様に、サブフィールドに格納される制御情報が‘１’である場合にはそのユーザに対するそのレコードに格納された情報の利用が許可され、制御情報が‘０’である場合にはそのユーザに対するそのレコードに格納された情報の利用が制限される。また、制御情報が‘２’である場合には全てのユーザに対するそのレコードに格納された情報の利用が許可される。
【００２９】
例えば、登録番号が‘１’であるレコードには、フィールドＦ３１に電話番号“080-********”が格納され、フィールドＦ３３にアドレス帳の登録番号“No.5”が格納され、フィールドＦ３４に氏名“Ｅ”が格納され、フィールドＦ３７に“User1”が格納され、フィールドF３８に“着信不可”が格納されている。また、サブフィールドｆ３６３，ｆ３６５にのみ制御情報‘１’が格納されており、他のサブフィールドｆ３６１，ｆ３６２，ｆ３６４には制御情報‘０’が格納されている。よって、このレコードに格納された情報（電話番号“080-********”、登録番号“No.5”、及び氏名“Ｅ”）の使用は、ユーザ３（User3）及びユーザ５（User5）のみに許可され、他のユーザ１，２，４（User1，User2，User4）には許可されない。
【００３０】
また、フィールドＦ３８に“着信不可”が格納されているため、その着信があったときの対応が制限される。尚、フィールドＦ３８に格納される情報は、フィールドＦ３６，Ｆ３７の内容から決定される。つまり、着信時に携帯型電話装置１を使用しているユーザを示す情報が格納されるフィールドＦ３７には“User1”が格納されており、このUser1はサブフィールドｆ３６１に格納された制御情報からそのレコードに格納された情報の利用が許可されないユーザであるため、フィールドＦ３８には着信対応を許可しない旨を示す“着信不可”が格納される。尚、携帯型電話装置１を使用しているユーザの識別は、スロット１０に挿入されている外部記憶装置１１から読み出したカードＩＤにより行われる。
【００３１】
また、登録番号が‘２’であるレコードには、フィールドＦ３１に電話番号“052-***-****”が格納されているが、フィールドＦ３３，Ｆ３４への情報の格納が省略されている。これは、フィールドＦ３１に格納された電話番号“052-***-****”がアドレス帳に登録されていないためである。また、フィールドＦ３６の全てのサブフィールドｆ３６１〜ｆ３６５には制御情報‘２’が格納され、フィールドＦ３７にはスロット１０に外部記憶装置１１が挿入されていない旨を示す情報“カードなし”が格納され、フィールドＦ３８には着信対応を許可する旨を示す“着信”が格納される。よって、フィールドＦ３６に格納された情報から、このレコードに格納された情報（電話番号“052-***-****”）の使用は全てのユーザ１〜５（User1〜User5）に許可され、またフィールドＦ３８に格納された情報から、着信に対する応答がその着信があったときに携帯型電話装置１を使用しているユーザに許可される。
【００３２】
以上、携帯型電話装置１の内部記憶装置２３に記憶されるアドレス帳、発信履歴、及び着信履歴について説明したが、電子メールの発信履歴及び着信履歴も同様に記憶される。電子メールの発信履歴は図４に示す発信履歴（通話の発信履歴）と同様のレコード形式で記憶され、電子メールの発信履歴は図５に示す着信履歴（通話の着信履歴）と同様のレコード形式で記憶される。
【００３３】
次に、携帯型電話装置１の動作について説明する。尚、以下の説明では、アドレス帳への登録時の動作、アドレス帳の内容表示時の動作、発信時の動作、着信時の動作、及び履歴（発信履歴又は着信履歴）表示時の動作について順に説明する。
【００３４】
〔アドレス帳への登録時の動作〕
図６は、携帯型電話装置１の内部記憶装置２３に記憶されるアドレス帳への登録時の動作を示すフローチャートである。携帯型電話装置１のユーザが、入力部２４に設けられた操作キー５を操作して登録開始指示を行うと図６に示すフローチャートの処理が開始される。処理が開始されると、アドレス情報を入力する処理が行われる（ステップＳ１１）。具体的には、ユーザが入力部２４に設けられた操作キー５を操作して電話番号、氏名、メールアドレス等の情報を入力すると、これらの情報が制御部２２に入力される。
【００３５】
次に、制御部２２がカード情報を取得する（ステップＳ１２）。この処理では、制御部２２が外部記憶装置接続検出部２７の検出結果に基づいて外部記憶装置１１の接続の有無を判断し、外部記憶装置１１が接続されていると判断した場合にデータ読み取り部２６を制御して外部記憶装置１１からカード情報を読み取る。尚、外部記憶装置接続検出部２７によって外部記憶装置１１の接続が検出されたときに予め外部記憶装置１１からカード情報を読み取って内部記憶装置２３に記憶させておき、この内部記憶装置２３に記憶されたカード情報から必要な情報（カードＩＤ等）を取得するようにしても良い。次いで、制御部２２は外部記憶装置１１の有無を判断する（ステップＳ１３）。
【００３６】
ステップＳ１３の判断結果が「ＹＥＳ」の場合には、制御部２２は、アドレス帳の新たなレコードのフィールドＦ１１〜Ｆ１３（図３参照）に、ステップＳ１１で入力されたアドレス情報（電話番号、氏名、メールアドレス帳）をそれぞれ記憶する。また、そのレコードのフィールドＦ１５に設けられたサブフィールドｆ１５１〜ｆ１５５のうちのステップＳ１２で取得したカード情報に含まれているカードＩＤに対応したサブフィールドに制御情報‘１’を記憶し、他のサブフィールドに制御情報‘０’を記憶する。これにより、入力されたアドレス情報がユーザ（カードＩＤ）に対応付けて登録される。
【００３７】
このとき、ユーザが新たに登録したアドレス情報の利用を他のユーザに許可する場合には、入力部２４の操作キー５を操作してアドレス情報の利用を許可するユーザを指示する。これにより、制御部２２は、アドレス帳に新たに登録されたレコードのフィールドＦ１５に設けられたサブフィールドｆ１５１〜ｆ１５５のうち、指示されたユーザに対応したサブフィールドに制御情報‘１’を記憶する。以上の処理を終えると、アドレス登録処理は終了する。
【００３８】
尚、ユーザが入力したアドレス情報と同じアドレス情報が既にアドレス帳の何れかのレコードに登録されている場合には、そのレコードのフィールドＦ１５に設けられたサブフィールドｆ１５１〜ｆ１５５のうちのステップＳ１２で取得したカード情報に含まれているカードＩＤに対応したサブフィールドや指示されたユーザに対応したサブフィールドに制御情報‘１’を記憶するようにすればよい。
【００３９】
一方、ステップＳ１３の判断結果が「ＮＯ」の場合には、制御部２２は、アドレス帳の新たなレコードのフィールドＦ１１〜Ｆ１３（図３参照）に、ステップＳ１１で入力されたアドレス情報（電話番号、氏名、メールアドレス帳）をそれぞれ記憶するとともに、そのレコードのフィールドＦ１５に設けられたサブフィールドｆ１５１〜ｆ１５５の全てに制御情報‘２’を記憶する。これにより、入力されたアドレス情報が全ユーザに共用されるものとして登録される。以上の処理を終えると、アドレス登録処理は終了する。
【００４０】
〔アドレス帳の内容表示時の動作〕
図７は、携帯型電話装置１の内部記憶装置２３に記憶されたアドレス帳の内容表示時の動作を示すフローチャートである。携帯型電話装置１のユーザが、入力部２４に設けられた操作キー５を操作してアドレス帳の表示指示を行うと図７に示すフローチャートの処理が開始される。処理が開始されると、制御部２２がカード情報を取得する（ステップＳ２１）。
【００４１】
この処理では、制御部２２が外部記憶装置接続検出部２７の検出結果に基づいて外部記憶装置１１の接続の有無を判断し、外部記憶装置１１が接続されていると判断した場合にデータ読み取り部２６を制御して外部記憶装置１１からカード情報を読み取る。尚、外部記憶装置接続検出部２７によって外部記憶装置１１の接続が検出されたときに予め外部記憶装置１１からカード情報を読み取って内部記憶装置２３に記憶させておき、この内部記憶装置２３に記憶されたカード情報から必要な情報（カードＩＤ等）を取得するようにしても良い。
【００４２】
次いで、制御部２２は外部記憶装置１１の有無を判断する（ステップＳ２２）。この判断結果が「ＹＥＳ」の場合には、制御部２２は、アドレス帳に登録されているアドレス情報のうち、ユーザに対応付けられたアドレス情報と全ユーザに共用されるアドレス情報とを読み出し、これらの情報を表示部２５の表示装置７に出力してその内容を表示させる（ステップＳ２３）。
【００４３】
具体的には、まずアドレス帳の各レコードをなすサブフィールドｆ１５１〜ｆ１５５のうち、ステップＳ２１で取得したカード情報に含まれるカードＩＤに対応したサブフィールドに、制御情報‘１’又は制御情報‘２’が格納されているレコードのアドレス情報を抽出する。次に、抽出したアドレス情報を表示装置７に出力して表示させる。以上の表示処理を終えると、アドレス表示処理は終了する。
【００４４】
一方、ステップＳ２２の判断結果が「ＮＯ」の場合には、制御部２２は、アドレス帳に登録されているアドレス情報のうち、全ユーザに共用されるアドレス情報のみを読み出し、これらの情報を表示部２５の表示装置７に出力して、その内容を表示させる（ステップＳ２４）。具体的には、アドレス帳の各レコードをなすサブフィールドｆ１５１〜ｆ１５５のうち、ステップＳ２１で取得したカード情報に含まれるカードＩＤに対応したサブフィールドに、制御情報‘２’が格納されているレコードのアドレス情報を抽出し、抽出したアドレス情報を表示装置７に出力して表示させる。以上の表示処理を終えると、アドレス表示処理は終了する。
【００４５】
以上の通り、アドレス帳の内容を表示させる場合に、携帯型電話装置１のスロット１０に外部記憶装置１１が挿入されていないときには、全ユーザに共用されるアドレス情報のみが表示される。一方、外部記憶装置１１が挿入されているときには、全ユーザに共用されるアドレス情報と挿入された外部記憶装置１１に記憶されているカードＩＤに対応付けられたアドレス情報とが表示される。これにより、外部記憶装置１１をスロット１０に挿入させた状態でアドレス帳への登録を行えば、ユーザが意図して他のユーザに登録したアドレス情報の利用を許可した場合を除き、他のユーザが携帯型電話装置１を使用しているときにその状態で登録された内容は表示されないため、プライバシーを効果的に保護することができる。
【００４６】
〔発信時の動作〕
図８は、携帯型電話装置１の発信時の動作を示すフローチャートである。発信ボタンの押下等により処理が開始されると、制御部２２がカード情報を取得する（ステップＳ３１）。この処理では、制御部２２が外部記憶装置接続検出部２７の検出結果に基づいて外部記憶装置１１の接続の有無を判断し、外部記憶装置１１が接続されていると判断した場合にデータ読み取り部２６を制御して外部記憶装置１１からカード情報を読み取る。尚、外部記憶装置接続検出部２７によって外部記憶装置１１の接続が検出されたときに予め外部記憶装置１１からカード情報を読み取って内部記憶装置２３に記憶させておき、この内部記憶装置２３に記憶されたカード情報から必要な情報（カードＩＤ等）を取得するようにしても良い。
【００４７】
次いで、制御部２２は外部記憶装置１１の有無を判断する（ステップＳ３２）。この判断結果が「ＹＥＳ」の場合には、制御部２２は、ユーザによりアドレス帳の使用の操作がなされたか否かを判断する（ステップＳ３３）。この判断結果が「ＹＥＳ」の場合には、アドレス帳に登録されているアドレス情報のうち、ユーザに対応付けられたアドレス情報と全ユーザに共用されるアドレス情報とを読み出し、これらの情報を表示部２５の表示装置７に出力してその内容を表示させる（ステップＳ３４）。具体的には、アドレス帳の各レコードをなすサブフィールドｆ１５１〜ｆ１５５のうち、ステップＳ３１で取得したカード情報に含まれるカードＩＤに対応したサブフィールドに、制御情報‘１’又は制御情報‘２’が格納されているレコードのアドレス情報を抽出し、抽出したアドレス情報を表示装置７に出力して表示させる。
【００４８】
次に、制御部２２はユーザの操作によってアドレス帳から発信先が選択されたか否かを判断する（ステップＳ３５）。この判断結果が「ＹＥＳ」の場合には、制御部２２は選択された発信先に対する発信処理を実行する（ステップＳ３６）。そして、ユーザに対応付けて発信履歴を内部記憶装置２３に登録する（ステップＳ３７）。一方、ステップＳ３３の判断結果が「ＮＯ」の場合、又はステップＳ３５の判断結果が「ＮＯ」の場合には、ユーザが入力部２４の操作キー５を操作することにより発信先の直接入力が行われ（ステップＳ３８）、この発信先への発信処理が実行される（ステップＳ３６）。そして、ユーザに対応付けた発信履歴の登録が行われる（ステップＳ３７）。以上の処理を終えると、発信時の処理は終了する。
【００４９】
他方、ステップＳ３２の判断結果が「ＮＯ」の場合には、制御部２２は、ユーザによりアドレス帳の使用の操作がなされたか否かを判断する（ステップＳ３９）。この判断結果が「ＹＥＳ」の場合には、アドレス帳に登録されているアドレス情報のうち、全ユーザに共用されるアドレス情報のみを読み出し、これらの情報を表示部２５の表示装置７に出力してその内容を表示させる（ステップＳ４０）。具体的には、アドレス帳の各レコードをなすサブフィールドｆ１５１〜ｆ１５５（図３参照）のうち、制御情報‘２’が格納されているレコードのアドレス情報を抽出し、抽出したアドレス情報を表示装置７に出力して表示させる。
【００５０】
次に、制御部２２はユーザの操作によってアドレス帳から発信先が選択されたか否かを判断する（ステップＳ４１）。この判断結果が「ＹＥＳ」の場合には、制御部２２は選択された発信先に対する発信処理を実行する（ステップＳ４２）。そして、全ユーザに共用されるものとして発信履歴を内部記憶装置２３に登録する（ステップＳ４３）。一方、ステップＳ３９の判断結果が「ＮＯ」の場合、又はステップＳ４１の判断結果が「ＮＯ」の場合には、ユーザが入力部２４の操作キー５を操作することにより発信先の直接入力が行われ（ステップＳ４４）、この発信先への発信処理が実行される（ステップＳ４２）。そして、ユーザに対応付けた発信履歴の登録が行われる（ステップＳ４３）。以上の処理を終えると、発信時の処理は終了する。
【００５１】
以上の通り、発信時にもアドレス帳の内容が表示されるが、アドレス帳の内容を表示させる場合に、携帯型電話装置１のスロット１０に外部記憶装置１１が挿入されていないときには、全ユーザに共用されるアドレス情報のみが表示される。一方、外部記憶装置１１が挿入されているときには、全ユーザに共用されるアドレス情報と挿入された外部記憶装置１１に記憶されているカードＩＤに対応付けられたアドレス情報とが表示される。これにより、原則として他のユーザが携帯型電話装置１を使用しているときにそのユーザ以外のユーザに対応付けて登録されたアドレス情報は表示されないため、プライバシーを効果的に保護することができる。
【００５２】
また、携帯型電話装置１に外部記憶装置１１が挿入された状態で発信が行われると、その外部記憶装置１１に記憶されているカードＩＤで特定されるユーザに対応付けて発信履歴が登録される。これに対し、携帯型電話装置１に外部記憶装置１１が挿入されない状態で発信が行われると、全ユーザに共用されるものとして発信履歴が登録される。
【００５３】
〔着信時の動作〕
図９は、携帯型電話装置１の着信時の動作を示すフローチャートである。着信があると、制御部２２がカード情報を取得するとともに、発信者を示す情報（発信者情報）を取得する（ステップＳ３１）。カード情報を取得する処理では、制御部２２が外部記憶装置接続検出部２７の検出結果に基づいて外部記憶装置１１の接続の有無を判断し、外部記憶装置１１が接続されていると判断した場合にデータ読み取り部２６を制御して外部記憶装置１１からカード情報を読み取る。尚、外部記憶装置接続検出部２７によって外部記憶装置１１の接続が検出されたときに予め外部記憶装置１１からカード情報を読み取って内部記憶装置２３に記憶させておき、この内部記憶装置２３に記憶されたカード情報から必要な情報（カードＩＤ等）を取得するようにしても良い。
【００５４】
次いで、制御部２２は外部記憶装置１１の有無を判断する（ステップＳ５２）。この判断結果が「ＹＥＳ」の場合には、制御部２２は、内部記憶装置２３に記憶されたアドレス帳を検索し、ステップＳ５１で取得した発信者情報がアドレス帳に登録されているか否かを判断する（ステップＳ５３）。この判断結果が「ＹＥＳ」の場合には、制御部２２は、その発信者に関する情報が利用可能であるか否かを判断する（ステップＳ５４）。具体的には、ステップＳ５１で取得した発信者情報が格納されているレコードのサブフィールドｆ１５１〜ｆ１５５（図３参照）のうち、ステップＳ５１で取得したカード情報のカードＩＤに対応するサブフィールドに格納されている制御情報が‘１’又は‘２’であるか否かを判断する。
【００５５】
この判断結果が「ＹＥＳ」の場合には、制御部２２は、今回の着信をステップＳ５１で取得したカード情報のカードＩＤで特定されるユーザの着信履歴、又は全ユーザで共用される着信履歴として登録する（ステップＳ５５）。具体的には、上記のアドレス帳のサブフィールドに格納されている制御情報が‘１’である場合には、図５に示す着信履歴のサブフィールドｆ３６１〜ｆ３６５のうちのそのユーザに対するサブフィールドに制御情報‘１’を格納することで今回の着信をステップＳ５１で取得したカード情報のカードＩＤで特定されるユーザの着信履歴として登録する。一方、上記のアドレス帳のサブフィールドに格納されている制御情報が‘２’である場合には、図５に示す着信履歴のサブフィールドｆ３６１〜ｆ３６５の全てに制御情報‘２’を格納することで、今回の着信を全ユーザで共用される着信履歴として登録する。
【００５６】
次に、制御部２２は、表示部２５に設けられたブザー２５ａに制御信号を出力して着信音を作動させるとともに、発信者に関してアドレス帳に登録されている情報を表示部２５の表示装置７に出力してその内容を表示させることにより、着信があった旨をユーザに通知して着信を許可する処理を行う（ステップＳ５６）。そして、ユーザが入力部２４に設けられた通話キーを操作すると着信がなされ、通話が可能となる（ステップＳ５７）。以上の処理を終えると、着信時の処理は終了する。
【００５７】
一方、ステップＳ５４の判断結果が「ＮＯ」の場合には、制御部２２は、今回の着信を他のユーザに対する着信履歴として登録する（ステップＳ５８）。具体的には、ステップＳ５１で取得した発信者情報が格納されているレコードのサブフィールドｆ１５１〜ｆ１５５（図３参照）のうちの制御情報が‘１’となっているユーザを特定し、着信履歴のサブフィールド（図５参照）ｆ３６１〜ｆ３６５のうちの特定したユーザに対応するサブフィールドに制御情報‘１’を格納することで、今回の着信を他のユーザに対する着信履歴として登録する。そして、ユーザに対する着信を通知せず、且つ着信を不許可とする処理を行う（ステップＳ５９）。
【００５８】
他方、ステップＳ５３の判断結果が「ＮＯ」の場合には、発信者がアドレス帳に登録されていないため、全ユーザで共用される着信履歴として登録する（ステップＳ６０）。具体的には、図５に示す着信履歴のサブフィールドｆ３６１〜ｆ３６５の全てに制御情報‘２’を格納することで、今回の着信を全ユーザで共用される着信履歴として登録する。次に、制御部２２は、表示部２５に設けられたブザー２５ａに制御信号を出力して着信音を作動させるとともに、着信のあった番号を表示部２５の表示装置７に出力してその内容を表示させることにより、着信があった旨をユーザに通知して着信を許可する処理を行う（ステップＳ６１）。そして、ユーザが入力部２４に設けられた通話キーを操作すると着信がなされ、通話が可能となる（ステップＳ６２）。以上の処理を終えると、着信時の処理は終了する。
【００５９】
また、ステップＳ５２の判断結果が「ＮＯ」の場合には、制御部２２は、内部記憶装置２３に記憶されたアドレス帳を検索し、ステップＳ５１で取得した発信者情報がアドレス帳に登録されているか否かを判断する（ステップＳ６３）。この判断結果が「ＹＥＳ」の場合には、制御部２２は、特定のユーザのみがその発信者に関する情報を利用可能であるか否かを判断する（ステップＳ６４）。この判断結果が「ＹＥＳ」の場合には、ステップＳ５８の処理に進み、その特定のユーザの着信履歴として登録する処理が行われる。一方、ステップＳ６３の判断結果又はステップＳ６４の判断結果が「ＮＯ」の場合には、ステップＳ６０に進み、全ユーザで共用される着信履歴として登録する処理が行われる。
【００６０】
以上の通り、取得した発信者情報がアドレス帳に登録されている場合には、携帯型電話装置１を使用しているユーザ宛の着信があったときには着信通知及び着信許可処理が行われるとともにそのユーザに対する着信履歴として登録される。一方、この場合において、携帯型電話装置１を使用しているユーザ以外の他のユーザ宛の着信があったときには着信通知がなされず着信不許可処理が行われその他のユーザに対する着信履歴として登録される。また、取得した発信者情報がアドレス帳に登録されていない場合には、着信通知及び着信許可処理が行われるとともに全ユーザに共用される着信履歴として登録される。
【００６１】
このため、例えば、親が自分の携帯型電話装置を幼い子供に持たせた場合に、親の商売上の取引先から電話がかかって来たとしても、着信通知がなされずしかも着信不許可処理が行われるため、親の商売上の取引先からかかってきた電話を子供が取るといった事態を防止することができる。また、子供が親に携帯型電話装置を貸した場合に、子供の友人からの電話に親が出ることも防止できる。更に、他のユーザ宛の電話に出ることを防止できるため、各ユーザのプライバシーを効果的に保護することができる。
【００６２】
〔履歴表示時の動作〕
図１０は、携帯型電話装置１の内部記憶装置２３に記憶された履歴（発信履歴、着信履歴）表示時の動作を示すフローチャートである。携帯型電話装置１のユーザが、入力部２４に設けられた操作キー５を操作して履歴の表示指示を行うと図１０に示すフローチャートの処理が開始される。処理が開始されると、制御部２２がカード情報を取得する（ステップＳ７１）。
【００６３】
この処理では、制御部２２が外部記憶装置接続検出部２７の検出結果に基づいて外部記憶装置１１の接続の有無を判断し、外部記憶装置１１が接続されていると判断した場合にデータ読み取り部２６を制御して外部記憶装置１１からカード情報を読み取る。尚、外部記憶装置接続検出部２７によって外部記憶装置１１の接続が検出されたときに予め外部記憶装置１１からカード情報を読み取って内部記憶装置２３に記憶させておき、この内部記憶装置２３に記憶されたカード情報から必要な情報（カードＩＤ等）を取得するようにしても良い。
【００６４】
次いで、制御部２２は外部記憶装置１１の有無を判断する（ステップＳ７２）。この判断結果が「ＹＥＳ」の場合には、制御部２２は、内部記憶装置２３に記憶されている履歴のうち、ステップＳ７１で取得したカード情報から特定される携帯型電話装置１を使用しているユーザに対する履歴、及び全ユーザに共用される履歴を取得する（ステップＳ７３）。そして、取得した履歴を表示部２５の表示装置７に出力して、履歴表示を行う（ステップＳ７４）。以上の表示処理を終えると、履歴表示処理は終了する。
【００６５】
一方、ステップＳ７２の判断結果が「ＮＯ」の場合には、制御部２２は、内部記憶装置２３に記憶されている履歴のうち、全ユーザに共用される履歴を取得する（ステップＳ７５）。そして、取得した履歴を表示部２５の表示装置７に出力して、履歴表示を行う（ステップＳ７４）。以上の表示処理を終えると、履歴表示処理は終了する。
【００６６】
以上の通り、履歴を表示させる場合に、携帯型電話装置１のスロット１０に外部記憶装置１１が挿入されているときには、全ユーザに共用されるアドレス情報と挿入された外部記憶装置１１に記憶されているカードＩＤで特定されるユーザに対する履歴が表示される。一方、携帯型電話装置１のスロット１０に外部記憶装置１１が挿入されていないときには、全ユーザに共用される履歴のみが表示される。これにより、ユーザ毎の履歴を別々に管理されるため、例えば、親が携帯型電話装置１使用している最中に子供宛の着信があった場合でも、子供は自身の外部記憶装置をスロット１０に挿入することによりその事実を知ることが可能である。このように、携帯型電話装置１を共有しても各ユーザのプライバシーを効果的に保護することができる。
【００６７】
以上、本発明の一実施形態による通信端末装置について説明したが、本発明は上記実施形態に制限されることなく、本発明の範囲内で自由に変更が可能である。例えば、図３に示したアドレス帳、図４に示した発信履歴、及び図５に示した着信履歴は他の構成とすることができる。図１１は、アドレス帳の他の例を示す図である。図１１に示すアドレス帳は、各ユーザ毎のアドレス帳が別々に設けられているとともに、全ユーザに共用されるアドレス帳が設けられている。図１１（ａ）〜図１１（ｅ）は、ユーザ１（User1）〜ユーザ５（User5）に対してそれぞれ個別に設けられるアドレス帳であり、図１１（ｆ）は全ユーザに共用されるアドレス帳である。
【００６８】
図１２は、発信履歴の他の例を示す図である。図１２に示す発信履歴は、図１１に示すアドレス帳と同様に、各ユーザ毎の発信履歴が別々に設けられているとともに、全ユーザに共用される発信履歴が設けられている。図１２（ａ）は、ユーザ１（User1）に対して個別に設けられる発信履歴である。尚、他のユーザ２（User2）〜ユーザ５（User5）に対しても図１２（ａ）に示す発信履歴と同様の発信履歴が設けられている。また、図１２（ｂ）は全ユーザに共用される発信履歴である。
【００６９】
図１３は、着信履歴の他の例を示す図である。図１３に示す着信履歴は、図１２に示す発信履歴と同様に、各ユーザ毎の着信履歴が別々に設けられているとともに、全ユーザに共用される着信履歴が設けられている。図１３（ａ）は、ユーザ１（User1）に対して個別に設けられる着信履歴である。尚、他のユーザ２（User2）〜ユーザ５（User5）に対しても図１３（ａ）に示す着信履歴と同様の着信履歴が設けられている。また、図１２（ｂ）は全ユーザに共用される着信履歴である。尚、電子メールの発信履歴及び着信履歴も図１２，図１３に示す発信履歴及び着信履歴と同様の構成にすることができる。
【図面の簡単な説明】
【００７０】
【図１】本発明の一実施形態による携帯型電話装置の外観を示す図である。
【図２】携帯型電話装置１の内部に設けられる電気回路の概略構成を示すブロック図である。
【図３】携帯型電話装置１の内部記憶装置２３に記憶されるアドレス帳の一例を示す図である。
【図４】携帯型電話装置１の内部記憶装置２３に記憶される発信履歴の一例を示す図である。
【図５】携帯型電話装置１の内部記憶装置２３に記憶される着信履歴の一例を示す図である。
【図６】携帯型電話装置１の内部記憶装置２３に記憶されるアドレス帳への登録時の動作を示すフローチャートである。
【図７】携帯型電話装置１の内部記憶装置２３に記憶されたアドレス帳の内容表示時の動作を示すフローチャートである。
【図８】携帯型電話装置１の発信時の動作を示すフローチャートである。
【図９】携帯型電話装置１の着信時の動作を示すフローチャートである。
【図１０】携帯型電話装置１の内部記憶装置２３に記憶された履歴（発信履歴、着信履歴）表示時の動作を示すフローチャートである。
【図１１】アドレス帳の他の例を示す図である。
【図１２】発信履歴の他の例を示す図である。
【図１３】着信履歴の他の例を示す図である。
【符号の説明】
【００７１】
１      携帯型電話装置
７      表示装置（表示部）
１１    外部記憶装置
２１    無線部（通信部）
２２    制御部
２３    内部記憶装置
２５    表示部
２６    データ読み取り部（読取部）
【図１】
2007020063.tif 000003
【図２】
2007020063.tif 000004
【図３】
2007020063.tif 000005
【図４】
2007020063.tif 000006
【図５】
2007020063.tif 000007
【図６】
2007020063.tif 000008
【図７】
2007020063.tif 000009
【図８】
2007020063.tif 000010
【図９】
2007020063.tif 000011
【図１０】
2007020063.tif 000012
【図１１】
2007020063.tif 000013
【図１２】
2007020063.tif 000014
【図１３】
2007020063.tif 000015